(57)【特許請求の範囲】
【請求項１】
無線通信システムにおけるアップリンク(ＵＬ；ｕｐｌｉｎｋ)送信をスケジューリングする方法において、
端末（ＵＥ）が、ＲＲＣ（ｒａｄｉｏ  ｒｅｓｏｒｃｅ  ｃｏｎｔｒｏｌ）接続メッセージを介してネットワークからバックオフ(ｂａｃｋｏｆｆ)構成を受信し、
前記バックオフ構成はスケジューリング要求（ＳＲ）の送信を遅延させるためのバックオフパラメータを含み、
前記端末が、専用チャネル(ｄｅｄｉｃａｔｅｄ ｃｈａｎｎｅｌ)を介して前記ＳＲを前記ネットワークに送信する前に、前記受信されたバックオフパラメータを適用するか否かを決定し、
前記受信されたバックオフパラメータを適用すると決定した場合、前記端末が、前記受信したバックオフパラメータにしたがって前記ＳＲの送信を遅延させた後に前記専用チャネルを介して前記ネットワークへ前記ＳＲを送信し、
前記端末が、前記ネットワークからアップリンクグラントを受信することを含み、
前記バックオフパラメータは特定論理チャネルのための前記ＳＲの送信を遅延させるために前記特定論理チャネルのために構成され、
前記ＳＲの送信を遅延させるため前記バックオフパラメータは上位階層で構成される、方法。
【請求項２】
前記受信されたバックオフパラメータを適用するか否かは、優先されたアクセス(ｐｒｉｏｒｉｔｉｚｅｄ ａｃｃｅｓｓ)によって決定される、請求項１に記載の方法。
【請求項３】
前記優先されたアクセスは、緊急アクセス(ｅｍｅｒｇｅｎｃｙ ａｃｃｅｓｓ)、高い優先権アクセス(ｈｉｇｈ ｐｒｉｏｒｉｔｙ ａｃｃｅｓｓ)、ＭＡＣ(ｍｅｄｉａ ａｃｃｅｓｓ ｃｏｎｔｒｏｌ)、ＲＬＣ(ｒａｄｉｏ ｌｉｎｋ ｃｏｎｔｒｏｌ)またはＰＤＣＰ(ｐａｃｋｅｔ ｄａｔａ ｃｏｎｖｅｒｇｅｎｃｅ ｐｒｏｔｏｃｏｌ)での制御要素/情報、音声/ビデオサービスのためのデータ無線ベアラ(ＤＲＢ；ｄａｔａ ｒａｄｉｏ ｂｅａｒｅｒ)、シグナリング無線ベアラ(ＳＲＢ；ｓｉｇｎａｌｉｎｇ ｒａｄｉｏ ｂｅａｒｅｒ)０、ＳＲＢ１、ＳＲＢ２、ＭＭＴＥＬ(ｍｕｌｔｉｍｅｄｉａ ｔｅｌｅｐｈｏｎｙ)音声サービス、ＭＭＴＥＬビデオサービスまたはＶｏＬＴＥ(ｖｏｉｃｅ ｏｖｅｒ ｌｏｎｇ−ｔｅｒｍ ｅｖｏｌｕｔｉｏｎ)のうちいずれか一つに対応する、請求項２に記載の方法。
【請求項４】
前記優先されたアクセスが識別されない場合、前記受信されたバックオフパラメータを適用すると決定する、請求項２に記載の方法。
【請求項５】
前記ＳＲを前記ネットワークに送信する前に、前記受信されたバックオフパラメータに基づいてバックオフを実行することをさらに含む、請求項４に記載の方法。
【請求項６】
前記優先されたアクセスが識別された場合、前記受信されたバックオフパラメータを適用しないと決定する、請求項２に記載の方法。
【請求項７】
前記受信したバックオフパラメータが適用しないと決定した場合、端末が、前記ＳＲの送信を遅延することなく前記専用チャネルを介して前記ＳＲを前記ネットワークに送信することをさらに含む、請求項６に記載の方法。
【請求項８】
前記ＳＲ-ＰｒｏｈｉｂｉｔＴｉｍｅｒのための値が上位階層により構成される、請求項１に記載の方法。
【請求項９】
前記ＳＲ-ＰｒｏｈｉｂｉｔＴｉｍｅｒのための値は、サブフレーム単位において前記ＳＲの送信を遅延するための時間を指定するために使用される、請求項８に記載の方法。
【請求項１０】
無線通信システムにおける端末(ＵＥ；ｕｓｅｒ ｅｑｕｉｐｍｅｎｔ)において、
無線信号を送信または受信するＲＦ(ｒａｄｉｏ ｆｒｅｑｕｅｎｃｙ)部と、
前記ＲＦ部と連結されるプロセッサと、を含み、
前記プロセッサは、
ＲＲＣ（ｒａｄｉｏ  ｒｅｓｏｒｃｅ  ｃｏｎｔｒｏｌ）接続メッセージを介してネットワークからバックオフ(ｂａｃｋｏｆｆ)構成を受信し、
前記バックオフ構成はスケジューリング要求（ＳＲ）の送信を遅延させるためのバックオフパラメータを含み、
専用チャネル(ｄｅｄｉｃａｔｅｄ ｃｈａｎｎｅｌ)を介して前記ＳＲを前記ネットワークに送信する前に、前記受信されたバックオフパラメータを適用するか否かを決定し、
前記受信されたバックオフパラメータを適用すると決定した場合、前記受信したバックオフパラメータにしたがって前記ＳＲの送信を遅延させた後に前記専用チャネルを介して前記ネットワークへ前記ＳＲを送信し、
前記ネットワークからアップリンクグラントを受信し、
前記バックオフパラメータは特定論理チャネルのための前記ＳＲの送信を遅延させるために前記特定論理チャネルのために構成され、
前記ＳＲの送信を遅延させるため前記バックオフパラメータは上位階層で構成されるように構成される、端末。
【請求項１１】
前記受信されたバックオフパラメータを適用するか否かは、優先されたアクセス(ｐｒｉｏｒｉｔｉｚｅｄ ａｃｃｅｓｓ)によって決定する、請求項１０に記載の端末。
【請求項１２】
前記優先されたアクセス(ｐｒｉｏｒｉｔｉｚｅｄ ａｃｃｅｓｓ)は、緊急アクセス(ｅｍｅｒｇｅｎｃｙ ａｃｃｅｓｓ)、高い優先権アクセス(ｈｉｇｈ ｐｒｉｏｒｉｔｙ ａｃｃｅｓｓ)、ＭＡＣ(ｍｅｄｉａ ａｃｃｅｓｓ ｃｏｎｔｒｏｌ)、ＲＬＣ(ｒａｄｉｏｌｉｎｋ ｃｏｎｔｒｏｌ)またはＰＤＣＰ(ｐａｃｋｅｔ ｄａｔａ ｃｏｎｖｅｒｇｅｎｃｅ ｐｒｏｔｏｃｏｌ)での制御要素/情報、音声/ビデオサービスのためのデータ無線ベアラ(ＤＲＢ；ｄａｔａ ｒａｄｉｏ ｂｅａｒｅｒ)、シグナリング無線ベアラ(ＳＲＢ；ｓｉｇｎａｌｉｎｇ ｒａｄｉｏ ｂｅａｒｅｒ)０、ＳＲＢ１、ＳＲＢ２、ＭＭＴＥＬ(ｍｕｌｔｉｍｅｄｉａ ｔｅｌｅｐｈｏｎｙ)音声サービス、ＭＭＴＥＬビデオサービスまたはＶｏＬＴＥ(ｖｏｉｃｅ ｏｖｅｒ ｌｏｎｇ−ｔｅｒｍ ｅｖｏｌｕｔｉｏｎ)のうちいずれか一つに対応する、請求項１１に記載の端末。
【請求項１３】
前記優先されたアクセスが識別されない場合、前記受信されたバックオフパラメータを適用すると決定する、請求項１１に記載の端末。
【請求項１４】
前記優先されたアクセスが識別された場合、前記受信されたバックオフパラメータを適用しないと決定する、請求項１１に記載の端末。
【請求項１５】
前記プロセッサはさらに、前記受信したバックオフパラメータが適用されないと決定された場合、前記ＳＲの送信を遅延させることなく前記専用チャネルを介して前記ＳＲを前記ネットワークに送信するように構成される、請求項１０に記載の端末。
【請求項１６】
前記ＳＲ-ＰｒｏｈｉｂｉｔＴｉｍｅｒのための値は上位階層により構成される、請求項１０に記載の端末。
【請求項１７】
前記ＳＲ-ＰｒｏｈｉｂｉｔＴｉｍｅｒのための値はサブフレーム単位において前記ＳＲの送信の遅延のための時間を指定する、請求項１６に記載の端末。
【発明の詳細な説明】
【技術分野】
【０００１】
本発明は、無線通信に関し、より詳しくは、無線通信システムにおいて、スケジューリング要求(ｓｃｈｅｄｕｌｉｎｇ ｒｅｑｕｅｓｔ)のためのバックオフ(ｂａｃｋｏｆｆ)を実行する方法及び装置に関する。
【背景技術】
【０００２】
ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)は、ヨーロッパシステム(Ｅｕｒｏｐｅａｎ ｓｙｓｔｅｍ)、ＧＳＭ(ｇｌｏｂａｌ ｓｙｓｔｅｍ ｆｏｒ ｍｏｂｉｌｅ ｃｏｍｍｕｎｉｃａｔｉｏｎｓ)及びＧＰＲＳ(ｇｅｎｅｒａｌ ｐａｃｋｅｔ ｒａｄｉｏ ｓｅｒｖｉｃｅｓ)に基づいてＷＣＭＤＡ(ｗｉｄｅｂａｎｄ ｃｏｄｅ ｄｉｖｉｓｉｏｎ ｍｕｌｔｉｐｌｅ ａｃｃｅｓｓ)で動作する３世代(３ｒｄ ｇｅｎｅｒａｔｉｏｎ)非同期(ａｓｙｎｃｈｒｏｎｏｕｓ)移動通信システムである。ＵＭＴＳのＬＴＥ(ｌｏｎｇ−ｔｅｒｍ ｅｖｏｌｕｔｉｏｎ)がＵＭＴＳを標準化する３ＧＰＰ(３ｒｄ ｇｅｎｅｒａｔｉｏｎ ｐａｒｔｎｅｒｓｈｉｐ ｐｒｏｊｅｃｔ)によって議論中である。
【０００３】
３ＧＰＰ ＬＴＥにおいて、スケジューリング要求(ＳＲ；ｓｃｈｅｄｕｌｉｎｇ ｒｅｑｕｅｓｔ)は、新しい送信のためのＵＬ−ＳＣＨ(ｕｐｌｉｎｋ ｓｈａｒｅｄ ｃｈａｎｎｅｌ)リソースを要求するために使われる。例えば、バッファ状態報告(ＢＳＲ；ｂｕｆｆｅｒ ｓｔａｔｕｓ ｒｅｐｏｒｔ)がトリガされた時、端末(ＵＥ；ｕｓｅｒ ｅｑｕｉｐｍｅｎｔ)が割り当てられたＵＬ無線リソースを有していない場合、ＵＥは、基地局(ＢＳ；ｂａｓｅ ｓｔａｔｉｏｎ)からＵＬ無線リソースを受信するためにＳＲ手順を実行する。ＵＥは、ＳＲ手順によって割り当てられたＵＬ無線リソースを利用してトリガされたＢＳＲを送信することができる。
【０００４】
一方、バックオフ(ｂａｃｋｏｆｆ)はランダムアクセス手順のために実行されることができる。バックオフは、ランダムアクセス応答の受信及び/またはランダムアクセス手順でのコンテンション解決(ｃｏｎｔｅｎｔｉｏｎ ｒｅｓｏｌｕｔｉｏｎ)が成功でないと見なされる場合、ランダムアクセスプリアンブルの送信が遅延されることを示す。
【０００５】
現在、ＳＲに対してはバックオフが実行されない。しかし、ＳＲのためにバックオフを実行する方法を考慮されることができる。
【発明の概要】
【発明が解決しようとする課題】
【０００６】
本発明は、無線通信システムにおいて、スケジューリング要求(ＳＲ；ｓｃｈｅｄｕｌｉｎｇ ｒｅｑｕｅｓｔ)のためのバックオフ(ｂａｃｋｏｆｆ)を実行する方法及び装置を提供する。本発明は、ＳＲを送信する前にバックオフパラメータを送信するかどうかを決定する方法を提供する。
【課題を解決するための手段】
【０００７】
一態様において、無線通信システムにおいて、アップリンク(ＵＬ；ｕｐｌｉｎｋ)送信をスケジューリングする方法が提供される。前記方法は、ネットワークからバックオフ(ｂａｃｋｏｆｆ)パラメータ(ｐａｒａｍｅｔｅｒ)を受信し、及び専用チャネル(ｄｅｄｉｃａｔｅｄ ｃｈａｎｎｅｌ)を介してスケジューリング要求(ＳＲ；ｓｃｈｅｄｕｌｉｎｇ ｒｅｑｕｅｓｔ)を前記ネットワークに送信する前に、前記受信されたバックオフパラメータを適用するか否かを決定することを含む。
【０００８】
前記受信されたバックオフパラメータを適用するか否かは、優先されたアクセス(ｐｒｉｏｒｉｔｉｚｅｄ ａｃｃｅｓｓ)によって決定する。
【０００９】
前記優先されたアクセス(ｐｒｉｏｒｉｔｉｚｅｄ ａｃｃｅｓｓ)は、緊急アクセス(ｅｍｅｒｇｅｎｃｙ ａｃｃｅｓｓ)、高い優先権アクセス(ｈｉｇｈ ｐｒｉｏｒｉｔｙ ａｃｃｅｓｓ)、ＭＡＣ(ｍｅｄｉａ ａｃｃｅｓｓ ｃｏｎｔｒｏｌ)、ＲＬＣ(ｒａｄｉｏ ｌｉｎｋ ｃｏｎｔｒｏｌ)またはＰＤＣＰ(ｐａｃｋｅｔ ｄａｔａ ｃｏｎｖｅｒｇｅｎｃｅ ｐｒｏｔｏｃｏｌ)での制御要素/情報、音声/ビデオサービスのためのデータ無線ベアラ(ＤＲＢ；ｄａｔａ ｒａｄｉｏ ｂｅａｒｅｒ)、シグナリング無線ベアラ(ＳＲＢ；ｓｉｇｎａｌｉｎｇ ｒａｄｉｏ ｂｅａｒｅｒ)０、ＳＲＢ１、ＳＲＢ２、ＭＭＴＥＬ(ｍｕｌｔｉｍｅｄｉａ ｔｅｌｅｐｈｏｎｙ)音声サービス、ＭＭＴＥＬビデオサービスまたはＶｏＬＴＥ(ｖｏｉｃｅ ｏｖｅｒ ｌｏｎｇ−ｔｅｒｍ ｅｖｏｌｕｔｉｏｎ)のうちいずれか一つに対応する。
【００１０】
前記優先されたアクセスが識別されない場合、前記受信されたバックオフパラメータを適用すると決定される。前記方法は、前記ＳＲを前記ネットワークに送信する前に、前記受信されたバックオフパラメータに基づいてバックオフを実行することをさらに含む。
【００１１】
前記優先されたアクセスが識別された場合、前記受信されたバックオフパラメータを適用しないと決定する。前記方法は、前記ＳＲを前記ネットワークに送信する前に、前記受信されたバックオフパラメータを無視することをさらに含む。
【００１２】
前記方法は、システム情報、ページングまたはＲＲＣ(ｒａｄｉｏ ｒｅｓｏｕｒｃｅ ｃｏｎｔｒｏｌ)接続再構成メッセージのうちいずれか一つを介してバックオフ構成(ｂａｃｋｏｆｆ ｃｏｎｆｉｇｕｒａｔｉｏｎ)を前記ネットワークから受信することをさらに含む。前記バックオフ構成は、前記バックオフパラメータを含む。
【００１３】
前記方法は、前記専用チャネルを介して前記ネットワークに前記ＳＲを送信することをさらに含む。
【００１４】
他の態様において、無線通信システムにおいて、端末(ＵＥ；ｕｓｅｒ ｅｑｕｉｐｍｅｎｔ)が提供される。前記端末は、無線信号を送信または受信するＲＦ(ｒａｄｉｏ ｆｒｅｑｕｅｎｃｙ)部及び前記ＲＦ部と連結されるプロセッサを含み、前記プロセッサは、ネットワークからバックオフ(ｂａｃｋｏｆｆ)パラメータ(ｐａｒａｍｅｔｅｒ)を受信し、及び専用チャネル(ｄｅｄｉｃａｔｅｄ ｃｈａｎｎｅｌ)を介してスケジューリング要求(ＳＲ；ｓｃｈｅｄｕｌｉｎｇ ｒｅｑｕｅｓｔ)を前記ネットワークに送信する前に、前記受信されたバックオフパラメータを適用するか否かを決定するように構成される。
【発明の効果】
【００１５】
重要なアクセス試みが阻止されることを避けることができる。
【図面の簡単な説明】
【００１６】
【図１】無線通信システムの構造を示す。
【図２】制御平面に対する無線インターフェースプロトコル構造を示すブロック図である。
【図３】ユーザ平面に対する無線インターフェースプロトコル構造を示すブロック図である。
【図４】物理チャネルの構造の一例を示す。
【図５】スケジューリング要求手順の一例を示す。
【図６】本発明の一実施例によってＵＬ送信をスケジューリングする方法の一例を示す。
【図７】本発明の一実施例によってＵＬ送信をスケジューリングする方法の他の例を示す。
【図８】本発明の実施例が具現される無線通信システムのブロック図である。
【発明を実施するための形態】
【００１７】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使うことができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術で具現することができる。ＴＤＭＡは、ＧＳＭ(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で具現することができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２−２０、Ｅ−ＵＴＲＡ(ｅｖｏｌｖｅｄ ＵＴＲＡ)などのような無線技術で具現することができる。ＩＥＥＥ８０２.１６ｍは、ＩＥＥＥ８０２.１６ｅの進化であり、ＩＥＥＥ８０２.１６ｅに基づくシステムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化である。
【００１８】
説明を明確にするために、ＬＴＥ−Ａを中心に記述するが、本発明の技術的思想がこれに制限されるものではない。
【００１９】
図１は、無線通信システムの構造を示す。
【００２０】
図１の構造は、Ｅ−ＵＴＲＡＮ(ｅｖｏｌｖｅｄ−ＵＭＴＳ ｔｅｒｒｅｓｔｒｉａｌ ｒａｄｉｏ ａｃｃｅｓｓ ｎｅｔｗｏｒｋ)のネットワーク構造の一例である。Ｅ−ＵＴＲＡＮシステムは、３ＧＰＰ ＬＴＥ/ＬＴＥ−Ａシステムである。Ｅ−ＵＴＲＡＮは、端末(ＵＥ；ｕｓｅｒ ｅｑｕｉｐｍｅｎｔ)１０及びＵＥ１０に制御平面(ｃｏｎｔｒｏｌ ｐｌａｎｅ)とユーザ平面(ｕｓｅｒ ｐｌａｎｅ)を提供する基地局(ＢＳ；ｂａｓｅ ｓｔａｔｉｏｎ)２０を含む。ＵＥ１０は、固定されてもよいし、移動性を有してもよく、ＭＳ(ｍｏｂｉｌｅ ｓｔａｔｉｏｎ)、ＵＴ(ｕｓｅｒ ｔｅｒｍｉｎａｌ)、ＳＳ(ｓｕｂｓｃｒｉｂｅｒ ｓｔａｔｉｏｎ)、ＭＴ(ｍｏｂｉｌｅ ｔｅｒｍｉｎａｌ)、無線機器(ｗｉｒｅｌｅｓｓ ｄｅｖｉｃｅ)等、他の用語で呼ばれることもある。ＢＳ２０は、一般的にＵＥ１０と通信する固定局(ｆｉｘｅｄ ｓｔａｔｉｏｎ)を意味し、ｅＮＢ(ｅｖｏｌｖｅｄ−ＮｏｄｅＢ)、ＢＴＳ(ｂａｓｅ ｔｒａｎｓｃｅｉｖｅｒ ｓｙｓｔｅｍ)、アクセスポイント(ａｃｃｅｓｓ ｐｏｉｎｔ)等、他の用語で呼ばれることもある。ＢＳ２０のカバレッジ内に一つ以上のセルが存在する。一つのセルは、１.２５、２.５、５、１０及び２０ＭＨｚなどの帯域幅のうち一つを有するように設定され、複数のＵＥにダウンリンク(ＤＬ；ｄｏｗｎｌｉｎｋ)またはアップリンク(ＵＬ；ｕｐｌｉｎｋ)送信サービスを提供することができる。このとき、互いに異なるセルは、互いに異なる帯域幅を提供するように設定することができる。
【００２１】
ＢＳ２０間にはユーザトラフィックまたは制御トラフィックの送信のためのインターフェースを使うことができる。ＵＥ１０とＢＳ２０は、Ｕｕインターフェースを介して接続することができる。ＢＳ２０は、Ｘ２インターフェースを介して互いに接続することができる。ＢＳ２０は、Ｓ１インターフェースを介してＥＰＣ(ｅｖｏｌｖｅｄ ｐａｃｋｅｔ ｃｏｒｅ)と接続することができる。ＥＰＣは、ＭＭＥ(ｍｏｂｉｌｉｔｙ ｍａｎａｇｅｍｅｎｔ ｅｎｔｉｔｙ)、Ｓ−ＧＷ(ｓｅｒｖｉｎｇ ｇａｔｅｗａｙ)、及びＰＤＮ(ｐａｃｋｅｔ ｄａｔａ ｎｅｔｗｏｒｋ)−ＧＷ(ｇａｔｅｗａｙ)で構成することができる。ＭＭＥは、ＵＥのアクセス情報やＵＥの能力に対する情報を有し、このような情報は、主にＵＥの移動性管理に使うことができる。Ｓ−ＧＷは、Ｅ−ＵＴＲＡＮを終端点として有するゲートウェイであり、Ｐ−ＧＷは、ＰＤＮを終端点として有するゲートウェイである。ＭＭＥは、制御平面の機能を担当する。Ｓ−ＧＷは、ユーザ平面の機能を担当する。ＢＳ２０は、Ｓ１−ＭＭＥインターフェースを介してＭＭＥ３０と接続されることができ、Ｓ１−Ｕインターフェースを介してＳ−ＧＷと接続することができる。Ｓ１インターフェースは、ＢＳ２０とＭＭＥ/Ｓ−ＧＷ３０との間に多対多関係(ｍａｎｙ−ｔｏ−ｍａｎｙ−ｒｅｌａｔｉｏｎ)をサポートする。
【００２２】
以下、ＤＬは、ＢＳ２０からＵＥ１０への通信を意味し、ＵＬは、ＵＥ１０からＢＳ２０への通信を意味する。ＤＬにおいて、送信機はＢＳ２０の一部であり、受信機はＵＥ１０の一部である。ＵＬにおいて、送信機はＵＥ１０の一部であり、受信機はＢＳ２０の一部である。
【００２３】
図２は、制御平面に対する無線インターフェースプロトコル構造を示すブロック図である。図３は、ユーザ平面に対する無線インターフェースプロトコル構造を示すブロック図である。
【００２４】
ＵＥとＥ−ＵＴＲＡＮとの間の無線インターフェースプロトコルの階層は、通信システムで広く知られたＯＳＩ(ｏｐｅｎ ｓｙｓｔｅｍ ｉｎｔｅｒｃｏｎｎｅｃｔｉｏｎ)モデルの下位３個階層に基づいてＬ１(第１の階層)、Ｌ２(第２の階層)及びＬ３(第３の階層)に区分される。ＵＥとＥ−ＴＵＲＡＮとの間の無線インターフェースプロトコルは、水平的には、物理階層、データリンク階層(ｄａｔａ ｌｉｎｋ ｌａｙｅｒ)及びネットワーク階層(ｎｅｔｗｏｒｋ ｌａｙｅｒ)に区分することができ、垂直的には、制御信号送信のためのプロトコルスタック(ｐｒｏｔｏｃｏｌ ｓｔａｃｋ)である制御平面(ｃｏｎｔｒｏｌ ｐｌａｎｅ)とデータ情報送信のためのプロトコルスタックであるユーザ平面(ｕｓｅｒ ｐｌａｎｅ)とに区分することができる。無線インターフェースプロトコルの階層は、ＵＥとＥ−ＵＴＲＡＮで対(ｐａｉｒ)として存在する。
【００２５】
Ｌ１に属する物理階層(ＰＨＹ；ｐｈｙｓｉｃａｌ ｌａｙｅｒ)は、物理チャネルを介して上位階層に情報転送サービスを提供する。ＰＨＹ階層は、上位階層であるＭＡＣ(ｍｅｄｉａ ａｃｃｅｓｓ ｃｏｎｔｒｏｌ)階層とトランスポートチャネル(ｔｒａｎｓｐｏｒｔ ｃｈａｎｎｅｌ)を介して接続される。トランスポートチャネルを介してＭＡＣ階層とＰＨＹ階層との間にデータが移動できる。トランスポートチャネルは、無線インターフェースを介してデータがどのように及びどのような特徴に送信されるかによって分類することができる。または、トランスポートチャネルは、共有されるかどうかによって、専用トランスポートチャネル(ｄｅｄｉｃａｔｅｄ ｔｒａｎｓｐｏｒｔ ｃｈａｎｎｅｌ)と共用トランスポートチャネル(ｃｏｍｍｏｎ ｔｒａｎｓｐｏｒｔ ｃｈａｎｎｅｌ)とに区分することができる。互いに異なるＰＨＹ階層間、即ち、送信機のＰＨＹ階層と受信機のＰＨＹ階層との間のデータは、物理チャネルを介して移動できる。物理階層は、ＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)方式を利用して変調することができ、時間と周波数を無線リソースとして活用する。
【００２６】
図４は、物理チャネルの構造の一例を示す。
【００２７】
物理チャネルは、時間領域で複数のサブフレーム(ｓｕｂｆｒａｍｅ)と周波数領域で複数の副搬送波(ｓｕｂｃａｒｒｉｅｒ)とで構成することができる。一つのサブフレームは、時間領域で複数のシンボルで構成することができる。一つのサブフレームは、複数のリソースブロック(ＲＢ；ｒｅｓｏｕｒｃｅ ｂｌｏｃｋ)で構成することができる。一つのリソースブロックは、複数のシンボルと複数の副搬送波とで構成することができる。また、各サブフレームは、ＰＤＣＣＨ(ｐｈｙｓｉｃａｌ ｄｏｗｎｌｉｎｋ ｃｏｎｔｒｏｌ ｃｈａｎｎｅｌ)のために該当サブフレームの特定シンボルの特定副搬送波を利用することができる。例えば、サブフレームの１番目のシンボルがＰＤＣＣＨのために使われることができる。データが送信される単位時間であるＴＴＩ(ｔｒａｎｓｍｉｓｓｉｏｎ ｔｉｍｅ ｉｎｔｅｒｖａｌ)は、１個のサブフレームの長さと同じである。
【００２８】
Ｌ２に属するＭＡＣ階層は、論理チャネル(ｌｏｇｉｃａｌ ｃｈａｎｎｅｌ)を介して上位階層であるＲＬＣ(ｒａｄｉｏ ｌｉｎｋ ｃｏｎｔｒｏｌ)階層にサービスを提供する。ＭＡＣ階層の機能は、論理チャネルとトランスポートチャネルとの間のマッピングと、トランスポートチャネル上に物理チャネルに提供されるトランスポートブロック(ｔｒａｎｓｐｏｒｔ ｂｌｏｃｋ)のために論理チャネルに属するＭＡＣ ＳＤＵ(ｓｅｒｖｉｃｅ ｄａｔａ ｕｎｉｔ)の多重化/逆多重化(ｍｕｌｔｉｐｌｅｘｉｎｇ/ｄｅ−ｍｕｌｔｉｐｌｅｘｉｎｇ)とを含む。論理チャネルは、トランスポートチャネルの上位に位置し、トランスポートチャネルにマッピングされる。論理チャネルは、制御平面の情報伝達のための制御チャネルと、ユーザ平面の情報伝達のためのトラフィックチャネルとに分けられる。
【００２９】
Ｌ２に属するＲＬＣ階層は、信頼性のあるデータの送信をサポートする。ＲＬＣ階層の機能は、ＲＬＣ ＳＤＵの連結(ｃｏｎｃａｔｅｎａｔｉｏｎ)、分割(ｓｅｇｍｅｎｔａｔｉｏｎ)及び再結合(ｒｅａｓｓｅｍｂｌｙ)を含む。無線ベアラ(ＲＢ；ｒａｄｉｏ ｂｅａｒｅｒ)が要求する多様なＱｏＳ(ｑｕａｌｉｔｙ ｏｆ ｓｅｒｖｉｃｅ)を保障するために、ＲＬＣ階層は、透明モード(ＴＭ；ｔｒａｎｓｐａｒｅｎｔ ｍｏｄｅ)、非確認モード(ＵＭ；ｕｎａｃｋｎｏｗｌｅｄｇｅｄ ｍｏｄｅ)及び確認モード(ＡＭ；ａｃｋｎｏｗｌｅｄｇｅｄ ｍｏｄｅ)の三つの動作モードを提供する。ＡＭ ＲＬＣは、ＡＲＱ(ａｕｔｏｍａｔｉｃ ｒｅｐｅａｔ ｒｅｑｕｅｓｔ)を使用してエラー訂正を提供する。一方、ＲＬＣ階層の機能は、ＭＡＣ階層内部の機能ブロックで具現することができ、このとき、ＲＬＣ階層は、存在しない。
【００３０】
ＰＤＣＰ(ｐａｃｋｅｔ ｄａｔａ ｃｏｎｖｅｒｇｅｎｃｅ ｐｒｏｔｏｃｏｌ)階層は、Ｌ２に属する。ユーザ平面におけるＰＤＣＰ階層の機能は、ユーザデータの伝達、ヘッダ圧縮(ｈｅａｄｅｒ ｃｏｍｐｒｅｓｓｉｏｎ)及び暗号化(ｃｉｐｈｅｒｉｎｇ)を含む。ヘッダ圧縮は、帯域幅が小さい無線区間で効率的な送信をサポートするために、相対的に大きさが大きく且つ不要な制御情報を含んでいるＩＰパケットヘッダサイズを減らす機能をする。制御平面におけるＰＤＣＰ階層の機能は、制御平面データの伝達及び暗号化/完全性保護(ｉｎｔｅｇｒｉｔｙ ｐｒｏｔｅｃｔｉｏｎ)を含む。
【００３１】
Ｌ３に属するＲＲＣ(ｒａｄｉｏ ｒｅｓｏｕｒｃｅ ｃｏｎｔｒｏｌ)階層は、制御平面でのみ定義される。ＲＲＣ階層は、ＵＥとネットワークとの間の無線リソースを制御する役割を遂行する。そのために、ＵＥとネットワークは、ＲＲＣ階層を介してＲＲＣメッセージを交換する。ＲＲＣ階層は、ＲＢの設定(ｃｏｎｆｉｇｕｒａｔｉｏｎ)、再設定(ｒｅ−ｃｏｎｆｉｇｕｒａｔｉｏｎ)及び解除(ｒｅｌｅａｓｅ)と関連して論理チャネル、トランスポートチャネル及び物理チャネルの制御を担当する。ＲＢは、ＵＥとネットワークとの間のデータ伝達のために、Ｌ２により提供される論理的経路である。ＲＢが設定されるとは、特定サービスを提供するために無線プロトコル階層及びチャネルの特性を規定し、各々の具体的なパラメータ及び動作方法を決定することを意味する。ＲＢは、ＳＲＢ(ｓｉｇｎａｌｉｎｇ ＲＢ)とＤＲＢ(ｄａｔａ ＲＢ)の二つに区分することができる。ＳＲＢは、制御平面でＲＲＣメッセージを送信する通路として使われ、ＤＲＢは、ユーザ平面でユーザデータを送信する通路として使われる。
【００３２】
ＲＲＣ状態は、ＵＥのＲＲＣがＥ−ＵＴＲＡＮのＲＲＣと論理的に接続されているかどうかを指示する。ＵＥのＲＲＣ階層とネットワークのＲＲＣ階層との間のＲＲＣ接続が設定されている場合、ＵＥは、ＲＲＣ接続状態(ＲＲＣ_ＣＯＮＮＥＣＴＥＤ)になり、ＲＲＣ接続が設定されていない場合、ＵＥは、ＲＲＣアイドル状態(ＲＲＣ_ＩＤＬＥ)になる。ＲＲＣ_ＣＯＮＮＥＣＴＥＤのＵＥは、ネットワークとＲＲＣ接続が設定されているため、ネットワークは、ＲＲＣ_ＣＯＮＮＥＣＴＥＤのＵＥの存在を把握することができ、ＵＥを効果的に制御することができる。一方、ネットワークは、ＲＲＣ_ＩＤＬＥのＵＥを把握することができず、核心ネットワーク(ＣＮ；ｃｏｒｅ ｎｅｔｗｏｒｋ)がセルより大きい領域であるトラッキング領域(ｔｒａｃｋｉｎｇ ａｒｅａ)単位にＵＥを管理する。即ち、ＲＲＣ_ＩＤＬＥのＵＥは、大きい領域の単位に存在のみが把握され、音声またはデータ通信のような通常の移動通信サービスを受けるために、ＵＥは、ＲＲＣ_ＣＯＮＮＥＣＴＥＤに移行しなければならない。
【００３３】
ユーザがＵＥの電源を最初にオンした時、ＵＥは、まず、適切なセルを探索した後、該当セルでＲＲＣ_ＩＤＬＥにとどまる。ＲＲＣ接続を設定する必要がある時、ＲＲＣ_ＩＤＬＥにとどまっていたＵＥは、ＲＲＣ接続手順を介してネットワークのＲＲＣとＲＲＣ接続を設定してＲＲＣ_ＣＯＮＮＥＣＴＥＤに移行することができる。ＲＲＣ_ＩＤＬＥにとどまっていたＵＥは、ユーザの通話試みなどの理由でアップリンクデータ送信が必要な時、またはネットワークからページングメッセージを受信し、これに対する応答メッセージ送信が必要な時などにネットワークとＲＲＣ接続を設定する必要がある。
【００３４】
以下、スケジューリング要求(ＳＲ；ｓｃｈｅｄｕｌｉｎｇ ｒｅｑｕｅｓｔ)を説明する。これは３ＧＰＰ ＴＳ ３６.３２１ Ｖ９.１.０(２００９−１２)の５.４.４節を参照することができる。
【００３５】
ＳＲは、新しい送信のためのＵＬ−ＳＣＨ(ｕｐｌｉｎｋ ｓｈａｒｅｄ ｃｈａｎｎｅｌ)リソースを要求するために使われる。
【００３６】
ＳＲがトリガされると、キャンセルされる前まで保留(ｐｅｎｄｉｎｇ)中であると見なすことができる。ＭＡＣ ＰＤＵが構成され、このＰＤＵがバッファ状態報告(ＢＳＲ；ｂｕｆｆｅｒ ｓｔａｔｕｓ ｒｅｐｏｒｔ)をトリガした最後のイベントまでのバッファ状態を含むＢＳＲを含む時、またはＵＬグラントが送信のために利用可能な保留中である全てのデータを受け入れることができる時、全ての保留中であるＳＲはキャンセルすることができ、ｓｒ−ＰｒｏｈｉｂｉｔＴｉｍｅｒは止めることができる。
【００３７】
ＳＲがトリガされ、他の保留中であるＳＲがない場合、ＵＥは、ＳＲ_ＣＯＵＮＴＥＲを０に設定することができる。
【００３８】
一つのＳＲが保留中である限り、各ＴＴＩでＵＥは：
【００３９】
−このＴＴＩで送信のためのＵＬ−ＳＣＨリソースが可能でない場合：
【００４０】
−ＵＥが任意のＴＴＩで構成されたＳＲのための有効なＰＵＣＣＨリソースを有しない場合：ランダムアクセス手順を初期化し、全ての保留中であるＳＲをキャンセルする。
【００４１】
−それ以外に、ＵＥがこのＴＴＩのために構成されたＳＲのための有効なＰＵＣＣＨリソースを有し、このＴＴＩが測定ギャップ(ｍｅａｓｕｒｅｍｅｎｔ ｇａｐ)の一部でなく、ｓｒ−ＰｒｏｈｉｂｉｔＴｉｍｅｒが動作中でない場合：
【００４２】
−ＳＲ_ＣＯＵＮＴＥＲ<ｄｓｒ_ＴｒａｎｓＭａｘである場合：
【００４３】
−ＳＲ_ＣＯＵＮＴＥＲを１ほど増加させて；
【００４４】
−ＰＵＣＣＨ上にＳＲをシグナルするように物理階層に指示して；
【００４５】
−ｓｒ−ＰｒｏｈｉｂｉｔＴｉｍｅｒを開始する。
【００４６】
−それ以外に：
【００４７】
−ＰＵＣＣＨ/ＳＲＳを解除するようにＲＲＣに知らせて；
【００４８】
−構成されたＤＬ割当(ａｓｓｉｇｎｍｅｎｔ)及びＵＬグラントをクリアして；
【００４９】
−ランダムアクセス手順を初期化し、全ての保留中であるＳＲをキャンセルする。
【００５０】
図５は、スケジューリング要求手順の一例を示す。
【００５１】
図５を参照すると、専用ＳＲ(ｄｅｄｉｃａｔｅｄ ＳＲ)チャネルを介してＳＲ手順を実行する方法を説明する。ＢＳは、規則的な間隔を有するＤ−ＳＲチャネルをＵＥに割り当てる。ＵＬデータが到着すると、ＵＥは、ＢＳＲをトリガする。ＵＥが割り当てられた無線リソースを有していない場合、ＵＥは、ＳＲをトリガする。そして、ＵＥは、Ｄ−ＳＲチャネルを介してＳＲ手順を実行する。ＵＥからＳＲを受信したＢＳは、リソース配分を決定し、スケジューリングアルゴリズムによってＰＤＣＣＨを介してＵＥに割り当てられたＵＬ無線リソースを知らせる。Ｄ−ＳＲチャネルがＵＥに割り当てられない場合、ＵＥは、ランダムアクセス手順を介してＳＲ手順を実行する。
【００５２】
以下、ＢＳＲを説明する。これは３ＧＰＰ ＴＳ ３６.３２１ Ｖ９.１.０(２００９−１２)の５.４.５節を参照することができる。
【００５３】
ＢＳＲ手順は、ＵＥのＵＬバッファ内に送信可能なデータの量に対する情報をサービングｅＮＢに提供するために使われる。ＲＲＣは、２個のタイマであるｐｅｒｉｏｄｉｃＢＳＲ−Ｔｉｍｅｒ及びｒｅｔｘＢＳＲ−Ｔｉｍｅｒを構成し、また、各論理チャネルに対して選択的に論理チャネルグループ(ＬＣＧ；ｌｏｇｉｃａｌ ｃｈａｎｎｅｌ ｇｒｏｕｐ)に論理チャネルを割り当てるｌｏｇｉｃａｌＣｈａｎｎｅｌＧｒｏｕｐをシグナリングしてＢＳＲ報告を制御することができる。
【００５４】
ＢＳＲ手順に対し、ＵＥは、保留(ｓｕｓｐｅｎｄ)されない全ての無線ベアラを考慮することができ、保留された無線ベアラを考慮することができる。
【００５５】
ＢＳＲ手順は、下記のイベントのうちいずれか一つが発生した場合にトリガすることができる。
【００５６】
−ＬＣＧに属する論理チャネルに対し、ＵＬデータがＲＬＣエンティティまたはＰＤＣＰエンティティで送信可能であり、データが任意のＬＣＧに属し、既に送信可能なデータに対する論理チャネルの優先権より高い優先権を有する論理チャネルに属し、またはＬＣＧに属する任意の論理チャネルに対して送信可能なデータがない場合である。以下、このようなＢＳＲは、正規(ｒｅｇｕｌａｒ)ＢＳＲと呼ばれる。
【００５７】
−ＵＬリソースが割り当てられ、パディング(ｐａｄｄｉｎｇ)ビットの個数がＢＳＲ ＭＡＣ ＣＥ(ｃｏｎｔｒｏｌ ｅｌｅｍｅｎｔ)プラスサブヘッダの大きさと同じ、またはそれより大きい場合である。以下、このようなＢＳＲは、パディングＢＳＲと呼ばれる。
【００５８】
−ｒｅｔｘＢＳＲ−Ｔｉｍｅｒが満了され、ＵＥがＬＣＧに属する任意の論理チャネルに対して送信可能なデータを有する場合である。以下、このようなＢＳＲは、正規ＢＳＲと呼ばれる。
【００５９】
−ｐｅｒｉｏｄｉｃＢＳＲ−Ｔｉｍｅｒが満了された場合である。以下、このようなＢＳＲは、周期(ｐｅｒｉｏｄｉｃ)ＢＳＲと呼ばれる。
【００６０】
正規ＢＳＲ及び周期ＢＳＲに対して：
【００６１】
−ＢＳＲが送信されるＴＴＩで一つ以上のＬＣＧが送信可能なデータを有する場合、長い(ｌｏｎｇ)ＢＳＲが報告される。
【００６２】
−それ以外には、短い(ｓｈｏｒｔ)ＢＳＲが報告される。
【００６３】
パディングＢＳＲに対して：
【００６４】
−パディングビットの個数が短いＢＳＲプラスサブヘッダの大きさと同じ、またはそれより大きく、長いＢＳＲプラスサブヘッダの大きさよりは小さい場合：
【００６５】
−ＢＳＲが送信されるＴＴＩで一つ以上のＬＣＧが送信可能なデータを有する場合：送信可能なデータを有する最も高い優先権の論理チャネルを有するＬＣＧの切断された(ｔｒｕｎｃａｔｅｄ)ＢＳＲが報告される。
【００６６】
−それ以外には、短いＢＳＲが報告される。
【００６７】
−それ以外に、パディングビットの個数が長いＢＳＲプラスサブヘッダの大きさと同じ、またはそれより大きい場合：長いＢＳＲが報告される。
【００６８】
少なくとも一つのＢＳＲがトリガされてキャンセルされないと決定された場合：
【００６９】
−ＵＥがこのＴＴＩで新しい送信のために割り当てられたＵＬリソースを有する場合：
【００７０】
−ＢＳＲ ＭＡＣ ＣＥ(ｓ)を生成するための多重化(ｍｕｌｔｉｐｌｅｘｉｎｇ)及び組立(ａｓｓｅｍｂｌｙ)手順を指示し；
【００７１】
−全ての生成されたＢＳＲが切断されたＢＳＲである場合を除いてｐｅｒｉｏｄｉｃＢＳＲ−Ｔｉｍｅｒを開始または再開始して；
【００７２】
−ｒｅｔｘＢＳＲ−Ｔｉｍｅｒを開始または再開始する。
【００７３】
−それ以外に、正規ＢＳＲがトリガされた場合：
【００７４】
−ＵＬグラントが構成されない、または上位階層により論理チャネルＳＲマスキング(ｌｏｇｉｃａｌＣｈａｎｎｅｌＳＲ−Ｍａｓｋ)が設定された論理チャネルに対して送信可能になったデータによって正規ＢＳＲがトリガされない場合：
【００７５】
−ＳＲがトリガされる。
【００７６】
ＭＡＣ ＰＤＵは、ＢＳＲを送信することができる時間まで複数のイベントがＢＳＲをトリガした時にも多くても一つのＭＡＣ ＢＳＲ ＣＥを含むことができる。このとき、正規ＢＳＲ及び周期ＢＳＲは、パディングＢＳＲに対して優先権を有する。
【００７７】
ＵＥは、ＵＬ−ＳＣＨ上の新しいデータの送信のためのグラントの指示によってｒｅｔｘＢＳＲ−Ｔｉｍｅｒを再開始することができる。
【００７８】
このサブフレームのＵＬグラントが送信可能な全ての保留中であるデータを受け入れることができるが、追加的にＢＳＲ ＭＡＣ ＣＥプラスサブヘッダを受け入れるには十分でない場合、全てのトリガされたＢＳＲはキャンセルされることができる。全てのトリガされたＢＳＲは、送信のためのＭＡＣ ＰＤＵにＢＳＲが含まれた時、キャンセルされることができる。
【００７９】
ＵＥは、ＴＴＩで多くても一つの正規/周期ＢＳＲを送信することができる。ＵＥがＴＴＩで複数のＭＡＣ ＰＤＵを送信するように要求を受けた場合、ＵＥは、正規/周期ＢＳＲを含まない任意のＭＡＣ ＰＤＵ内にパディングＢＳＲを含ませることができる。
【００８０】
ＴＴＩで送信される全てのＢＳＲは、常にこのＴＴＩのために全てのＭＡＣ ＰＤＵが構成された後にバッファ状態を反映することができる。各ＬＣＧは、ＴＴＩ当たり多くとも一つのバッファ状態値を報告することができ、この値は、このＬＣＧのためにバッファ状態を報告する全てのＢＳＲで報告することができる。
【００８１】
ランダムアクセス手順で、バックオフ(ｂａｃｋｏｆｆ)を実行することができる。より詳細には、ランダムアクセス手順初期化で、ＵＥのバックオフパラメータ値が０ｍｓに設定される。ランダムアクセス応答受信で、送信されたランダムアクセスプリアンブルとマッチされるランダムアクセスプリアンブル識別子を含むランダムアクセス応答を成功裏に受信した後、ＵＥは、ランダムアクセス応答のモニタリングを中断することができる。このとき、ランダムアクセス応答がバックオフ指示子(ＢＩ；ｂａｃｋｏｆｆ ｉｎｄｉｃａｔｏｒ)サブヘッダを含むと、ＵＥのバックオフパラメータ値は、ＢＩサブヘッダのＢＩフィールドにより指示されるものに設定される。それ以外には、ＵＥのバックオフパラメータ値は、０ｍｓに設定される。バックオフパラメータ値は、表１により提供することができる。
【００８２】
【表１】
0006030772.tif 000002
【００８３】
現在リリースバージョン(ｒｅｌｅａｓｅ ｖｅｒｓｉｏｎ)のＵＥによりバックオフパラメータの留保された値が受信されると、９６０ｍｓと見なされる。
【００８４】
ランダムアクセス応答ウィンドウ(ｗｉｎｄｏｗ)内でランダムアクセス応答が受信されない、または受信されたランダムアクセス応答のどれも送信されたランダムアクセスプリアンブルに対応するランダムアクセスプリアンブル識別子を含まない場合、ランダムアクセス応答受信は、成功でないと見なされる。このとき、ＵＥは、ＵＥのバックオフパラメータに基づいて０とバックオフパラメータ値との間で均一分布(ｕｎｉｆｏｒｍ ｄｉｓｔｒｉｂｕｔｉｏｎ)によって任意のバックオフ時間を選択し、バックオフ時間程度後続のランダムアクセス送信を遅延させる。
【００８５】
または、コンテンション解決(ｃｏｎｔｅｎｔｉｏｎ ｒｅｓｏｌｕｔｉｏｎ)が成功でないと見なされた場合、ＵＥは、ＵＥのバックオフパラメータに基づいて０とバックオフパラメータ値との間で均一分布によって任意のバックオフ時間を選択し、バックオフ時間程度後続のランダムアクセス送信を遅延させる。
【００８６】
セルでＵＬ混雑(ｃｏｎｇｅｓｔｉｏｎ)が発生する時、一般アクセス試みだけでなく、重要なアクセス試みも阻止することができる。現在、ＳＲに対してはバックオフが実行されない。しかし、重要なアクセス試みに対するＳＲを優先的に処理するために、ＳＲに対してバックオフを実行する方法が考慮することができる。したがって、ＳＲに対してバックオフを実行する方法を提案することができる。
【００８７】
図６は、本発明の一実施例によってＵＬ送信をスケジューリングする方法の一例を示す。
【００８８】
ステップＳ１００において、ＵＥは、ネットワークからバックオフパラメータを受信する。ステップＳ１１０において、ＵＥは、専用チャネルを介してＳＲをネットワークに送信する前、前記受信されたバックオフパラメータを適用するかどうかを決定する。
【００８９】
受信されたバックオフパラメータを適用するかどうかは、優先されたアクセス(ｐｒｉｏｒｉｔｉｚｅｄ ａｃｃｅｓｓ)によって決定することができる。優先されたアクセスは、緊急アクセス(ｅｍｅｒｇｅｎｃｙ ａｃｃｅｓｓ)、高い優先権アクセス(ｈｉｇｈ ｐｒｉｏｒｉｔｙ ａｃｃｅｓｓ)、ＭＡＣ、ＲＬＣまたはＰＤＣＰでの制御要素/情報、音声/ビデオサービスのためのＤＲＢ、ＳＲＢ０、ＳＲＢ１、ＳＲＢ２、ＭＭＴＥＬ(ｍｕｌｔｉｍｅｄｉａ ｔｅｌｅｐｈｏｎｙ)音声、ＭＭＴＥＬビデオまたはＶｏＬＴＥ(ｖｏｉｃｅ ｏｖｅｒ ｌｏｎｇ−ｔｅｒｍ ｅｖｏｌｕｔｉｏｎ)のうちいずれか一つを含む論理チャネル、トラフィック/ベアラタイプまたは論理チャネル優先権に対応することができる。優先されたアクセスが識別された場合、受信されたバックオフパラメータを適用しないと決定される。即ち、従来技術によって、ＵＥは、ＳＲをネットワークに送信する前に受信されたバックオフパラメータを無視する。それに対し、優先されたアクセスが識別されない場合、受信されたバックオフパラメータを適用すると決定される。即ち、本発明の一実施例によって、ＵＥは、ＳＲをネットワークに送信する前に受信されたバックオフパラメータに基づいてバックオフを実行する。
【００９０】
図７は、本発明の一実施例によってＵＬ送信をスケジューリングする方法の他の例を示す。
【００９１】
ステップＳ２００において、ＰＵＣＣＨを介したＳＲに対し、ＵＥは、システム情報、ページング、またはＲＲＣ接続再構成メッセージのようなＵＥ専用ＲＲＣメッセージを介してバックオフ構成を受信する。システム情報がバックオフ構成を伝送するのに使われると、ページングは、バックオフ構成がシステム情報を介して伝送するかどうかを指示することに使うことができる。
【００９２】
バックオフ構成は、本発明の一実施例によって、このセルがＳＲに対するバックオフ実行をサポートするかどうかを指示することができる。即ち、本発明の一実施例によって、このセルがＳＲに対するバックオフ実行をサポートするということをバックオフ構成が指示する場合にのみ、ＵＥは、本発明の一実施例によってＳＲに対してバックオフを実行することができる。それ以外には、ＵＥは、従来技術によってＳＲを送信する前にバックオフを実行しない。
【００９３】
また、ＵＥがバックオフを実行する必要がある時、バックオフ構成は、どのような設定原因(ｅｓｔａｂｌｉｓｈｍｅｎｔ ｃａｕｓｅ)またはトラフィック/ベアラタイプに対してＵＥがＳＲを(再)送信する前、バックオフを無視すべきであるか、または特別(ｓｐｅｃｉａｌ)バックオフパラメータを適用すべきであるかをＵＥに知らせることができる。例えば、バックオフ構成は、緊急アクセス、高い優先権アクセス、ＭＭＴＥＬ音声、ＭＭＴＥＬビデオ及びＶｏＬＴＥのうち一つ以上を指示することができる。ＵＥがこのバックオフ構成を受信し、指示されたいずれか一つの接続を有する場合、ＵＥは、ＳＲを送信する前、バックオフを無視し、または特別バックオフパラメータを適用する。
【００９４】
または、バックオフ構成は、ＭＯ(ｍｏｂｉｌｅ ｏｒｉｇｉｎａｔｉｎｇ)データ、ＭＴ(ｍｏｂｉｌｅ ｔｅｒｍｉｎａｔｉｎｇ)接続、ＭＭＴＥＬその他及びデータサービスのうち一つ以上を指示することができる。ＵＥがこのバックオフ構成を受信し、指示されたいずれか一つの接続を有する場合、ＵＥは、ＳＲを送信する前にバックオフを適用する。それ以外には、ＵＥは、ＳＲを送信する前、バックオフを無視し、または特別バックオフパラメータを適用する。
【００９５】
特別バックオフパラメータは、ランダムアクセス応答、システム情報、またはＵＥ専用ＲＲＣメッセージを介して提供することができる。
【００９６】
ステップＳ２１０において、ＵＥは、ＳＲ手順をトリガする。ＵＥは、ランダムアクセス応答、ページング、システム情報またはＵＥ専用メッセージを介してバックオフ情報を受信することができ、受信されたバックオフ情報を格納することができる。システム情報がバックオフ情報の伝送に使われると、ページングは、バックオフ情報がシステム情報を介して伝送するかどうかを指示することに使われることができる。
【００９７】
ステップＳ２２０において、ＳＲ手順をトリガしたＵＥは、受信したバックオフ情報に基づいてＳＲを送信する前にバックオフを実行するかどうかを決定する。受信したバックオフは、少なくともバックオフパラメータを含む。ＵＥが受信したバックオフパラメータを受信したと仮定する。
【００９８】
−ＲＲＣ_ＣＯＮＮＥＣＴＥＤのＵＥが緊急アクセスまたは高い優先権アクセスのうちいずれか一つに設定された設定原因のために、このＲＲＣ接続を設定した場合；または、
【００９９】
−ＲＲＣ_ＣＯＮＮＥＣＴＥＤのＵＥが緊急アクセス、高い優先権アクセス、ＭＭＴＥＬ−音声、ＭＭＴＥＬ−ビデオまたはＶｏＬＴＥのうち一つ以上のために、このＲＲＣ接続を設定した場合；または、
【０１００】
−ＵＥが緊急アクセス、高い優先権アクセス、ＭＭＴＥＬ−音声、ＭＭＴＥＬ−ビデオまたはＶｏＬＴＥのうち一つ以上のためのベアラを設定した場合；または、
【０１０１】
−ＵＥが特定論理チャネル、特定論理チャネルグループ(そして、特定論理チャネルまたは特定論理チャネルグループがシステム情報、ページングまたはランダムアクセス応答により指示される場合)、またはＳＲＢのためのＢＳＲを送信するために、このＳＲを初期化した場合；または、
【０１０２】
−ＵＥがＭＡＣ ＣＥまたはＲＬＣ/ＰＤＣＰで制御情報を送信するために、このＳＲを初期化した場合；または、
【０１０３】
−ＵＥがＮＡＳメッセージまたはＲＲＣメッセージを送信するために、このＳＲを初期化した場合、
【０１０４】
ＵＥは、受信したバックオフパラメータを無視し、バックオフなしにＳＲを送信する。または、ＵＥがランダムアクセス応答内の既存に存在するバックオフパラメータを受信し、バックオフパラメータが９６０ｍｓより大きい値を有する場合、ＵＥは、９６０ｍｓのバックオフを適用し、バックオフ以後ＳＲを送信する。しかし、バックオフパラメータ値が９６０ｍｓまたはそれより小さい場合、ＵＥは、該当値にバックオフを適用し、バックオフ後ＳＲを送信する。または、ＵＥが特別バックオフパラメータを受信すると、ＵＥは、バックオフを適用し、バックオフ後ＳＲを送信する。
【０１０５】
それ以外には、ＥＵは、(既存に存在する)バックオフパラメータを適用し、バックオフ後ＳＲを送信する。
【０１０６】
ＵＥがバックオフパラメータを受信しない場合、ＵＥは、バックオフなしにＳＲを送信する。
【０１０７】
ステップＳ２３０において、ＵＥは、以前のステップによってバックオフを実行し、またはバックオフなしにＰＵＣＣＨ上にＳＲを送信する。
【０１０８】
ステップＳ２４０において、ＳＲに対する応答として、ｅＮＢは、ＵＥにＰＵＣＣＨ上にＵＬグラントを送信して応答することができる。
【０１０９】
図８は、本発明の実施例が具現される無線通信システムのブロック図である。
【０１１０】
ＢＳ８００は、プロセッサ(ｐｒｏｃｅｓｓｏｒ)８１０、メモリ(ｍｅｍｏｒｙ)８２０及びＲＦ部(ｒａｄｉｏ ｆｒｅｑｕｅｎｃｙ ｕｎｉｔ)８３０を含むことができる。プロセッサ８１０は、本明細書で説明された機能、過程及び/または方法を具現するように構成されることができる。無線インターフェースプロトコルの階層は、プロセッサ８１０により具現することができる。メモリ８２０は、プロセッサ８１０と連結され、プロセッサ８１０を駆動するための多様な情報を格納する。ＲＦ部８３０は、プロセッサ８１０と連結され、無線信号を送信及び/または受信する。
【０１１１】
ＵＥ９００は、プロセッサ９１０、メモリ９２０及びＲＦ部９３０を含むことができる。プロセッサ９１０は、本明細書で説明された機能、過程及び/または方法を具現するように構成することができる。無線インターフェースプロトコルの階層は、プロセッサ９１０により具現することができる。メモリ９２０は、プロセッサ９１０と連結され、プロセッサ９１０を駆動するための多様な情報を格納する。ＲＦ部９３０は、プロセッサ９１０と連結され、無線信号を送信及び/または受信する。
【０１１２】
プロセッサ８１０、９１０は、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/またはデータ処理装置を含むことができる。メモリ８２０、９２０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。ＲＦ部８３０、９３０は、無線周波数信号を処理するためのベースバンド回路を含むことができる。実施例がソフトウェアで具現される時、前述した技法は、前述した機能を遂行するモジュール(過程、機能など)で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段を介してプロセッサ８１０、９１０と連結されることができる。
【０１１３】
前述した例示的なシステムにおいて、前述された本発明の特徴によって具現することができる方法は、流れ図に基づいて説明された。便宜上、方法は、一連のステップまたはブロックで説明されたが、請求された本発明の特徴は、ステップまたはブロックの順序に限定されるものではなく、あるステップは、他のステップと前述と異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図２】
0006030772.tif 000003
【図３】
0006030772.tif 000004
【図１】
0006030772.tif 000005
【図４】
0006030772.tif 000006
【図５】
0006030772.tif 000007
【図６】
0006030772.tif 000008
【図７】
0006030772.tif 000009
【図８】
0006030772.tif 000010